(57)【特許請求の範囲】
【請求項１】
生化学的反応によって生体データを測定する方法であって、
測定初期の一定時間区間での測定値の平均変化率に基づいて、生化学的反応が安定化される反応終了時点を決定する段階と、
前記決定された反応終了時点で測定した値に、補正値を加算し、最終測定値を算出する段階とを含んでおり、
前記補正値は、前記測定初期の一定時間区間の開始点での測定値と終了点での測定値との差であることを特徴とする生体データ測定方法。
【請求項２】
前記生化学的反応は、酵素反応である請求項１に記載の生体データ測定方法。
【請求項３】
前記反応終了時点は、その近所での測定値の平均変化率が、前記測定初期の一定時間区間での測定値の平均変化率に決定定数を乗算した値と同じか、それより小さくなる時点である請求項１に記載の生体データ測定方法。
【請求項４】
前記決定定数は、０．００１と０．５との間の値である請求項３に記載の生体データ測定方法。
【請求項５】
前記測定初期の一定時間区間は、測定する生体データの種類によって決定されることを特徴とする請求項１に記載の生体データ測定方法。
【請求項６】
測定する生体データの種類は、総コレステロールであり、
前記決定定数は、０．３である請求項３に記載の生体データ測定方法。
【請求項７】
測定する生体データの種類は、中性脂肪であり、
前記決定定数は、０．１である請求項３に記載の生体データ測定方法。
【請求項８】
前記測定する生体データの種類は、中性脂肪であるか、総コレステロールであり、
前記測定初期の一定時間区間は、初期生化学的反応が始まった後の１５秒ないし３０秒の範囲区間である請求項５に記載の生体データ測定方法。
【請求項９】
測定ストリップを挿入して生体データを測定する生体データ測定装置であって、
測定ストリップが挿入される領域内に平面状に配されている１つ以上の感知部と、
前記感知部で感知されたデータを基にして、測定初期の一定時間区間での測定値の平均変化率を算出し、この算出された平均変化率を基にして、生化学的反応が安定化される反応終了時点を決定する反応終了時点決定部と、
前記感知部で感知されたデータを基にして、補正値を生成する補正データ生成部と、
前記決定された反応終了時点で、前記感知部で感知されたデータ値、及び前記生成された補正値を基にして、最終生体データ値を算出する生体データ測定部と、を含んでおり、
前記補正値は、前記測定初期の一定時間区間の開始点での測定値と終了点での測定値との差である
ことを特徴とする生体データ測定装置。
【請求項１０】
コレステロール値を測定する請求項９に記載の生体データ測定装置。
【請求項１１】
前記反応終了時点決定部は、その近所での測定値の平均変化率が、前記測定初期の一定時間区間での測定値の平均変化率に決定定数を乗算した値より小さいか、同じ値になる時点を反応終了時点として決定することを特徴とする請求項９に記載の生体データ測定装置。
【請求項１２】
前記測定初期の一定時間区間は、測定する生体データの種類によって決定されることを特徴とする請求項９に記載の生体データ測定装置。
【請求項１３】
前記測定初期の一定時間区間は、初期の生化学的反応が始まった後、１５秒ないし３０秒の範囲区間である請求項９に記載の生体データ測定装置。
【請求項１４】
前記算出された最終生体データ値を外部に出力する出力部をさらに含む請求項９に記載の生体データ測定装置。
【請求項１５】
測定する生体データの種類は、総コレステロールであり、
前記決定定数は、０．３である請求項１１に記載の生体データ測定装置。
【請求項１６】
測定する生体データの種類は、中性脂肪であり、
前記決定定数は、０．１である請求項１１に記載の生体データ測定装置。
【請求項１７】
前記決定定数は、測定する生体データの種類によって決定される請求項３に記載の生体データ測定方法。
【請求項１８】
前記決定定数は、測定する生体データの種類によって決定される請求項１１に記載の生体データ測定装置。
【発明の詳細な説明】
【技術分野】
【０００１】
本発明の一態様による技術分野は、生体データ測定に関する。
【背景技術】
【０００２】
乾式生化学（Ｄｒｙ  Ｃｈｅｍｉｓｔｒｙ）は、標本を添加する乾燥した酵素が染み込んだストリップの使用を意味する。この評価方法は、コンピュータ分析器による化学反応の定量的な分析に焦点を合わせている。
【０００３】
この評価方法は、化学及び生物学的な要因を除いても、試料注入量、試料注入方法、温度などの環境的な要因によって、同じ試料による測定結果間にも偏差が発生する、特に、実験室ではない、家庭で測定が行われる装置の場合には、大きな偏差が発生する。このような測定結果間の偏差は、測定結果の正確度に対して疑問が生じるので、測定結果の再現性を確保する方法が問題となる。
【発明の概要】
【発明が解決しようとする課題】
【０００４】
本発明は、測定結果間の偏差を減らすことによって、再現性を向上させて、測定結果の信頼度を確保することを目的とする。
【課題を解決するための手段】
【０００５】
本発明の一側面によって、生化学的反応によって生体データを測定する方法が提供される。この方法は、測定初期の一定時間区間での測定値の平均変化率に基づいて、生化学的反応が安定化される反応終了時点を決定する段階と、前記決定された反応終了時点で測定した値に補正値を換算して、最終測定値を算出する段階と、を含む。
【０００６】
本発明の他の側面によって、測定ストリップを挿入して生体データを測定する生体データ測定装置が提供される。この装置は、測定ストリップが挿入される領域内に平面状に配されている１つ以上の感知部と、前記感知部で感知されたデータを基にして、測定初期の一定時間区間での測定データ値の平均変化率を算出し、この算出された平均変化率を基にして、生化学的反応が安定化される反応終了時点を決定する反応終了時点決定部と、前記感知部で感知されたデータを基にして、補正データ値を生成する補正データ生成部と、前記決定された反応終了時点で、前記感知部で感知されたデータ値、及び前記生成された補正データ値を基にして、最終生体データ値を算出する生体データ測定部と、を含む。
【発明の効果】
【０００７】
本発明による生体データ測定方法は、反応速度によって合理的な反応終了時点を決定し、補正値を決定することによって、測定偏差を減少させて、再現性及びデータ信頼度を向上させることができる。
【図面の簡単な説明】
【０００８】
【図１】生体データ測定装置及び測定ストリップの概観図である。
【図２】本発明の一実施例による総コレステロールの反応を示したグラフである。
【図３】本発明の一実施例による同じ血液による反応初期の一定区間での平均変化量とデータエラー率との相関関係を示したグラフである。
【図４】本発明の一実施例による生体データ測定装置の概略的な構成ブロック図である。
【発明を実施するための形態】
【０００９】
以下、添付された図面を参照して記述される望ましい実施例を通じて、本発明を当業者が容易に理解し、再現できるように詳細に説明する。
【００１０】
図１は、本発明の一実施例による生体データ測定装置及び測定ストリップの概観図である。図１を参照すると、示された測定ストリップ３００は、血液の中性脂肪やコレステロールの量などの生体データを測定することができる複数個の反応部を含む領域３３１−１、３３１−２、３３１−３を含んでいる。反応部を含む領域３３１−１、３３１−２、３３１−３は、位置によって測定するデータが異なる。測定ストリップ３００の上部には、ストリップ挿入領域１３０の溝と噛み合い、挿入後に固定を容易にするために、突起を含んでいる。生体データ測定装置１００は、電源ボタン、ストリップ挿入領域１３０、表示部１８０を含む。ストリップ挿入領域１３０の縁部は、内側に溝が形成されている構造からなっていて、測定ストリップの挿入及び固定が容易である。また、ストリップ挿入領域１３０は、中央部に互いに離隔して配されている複数個の感知部を含む。複数個の感知部１１０は、測定ストリップ３００上の反応部を含む領域３３１−１、３３１−２、３３１−３と一対一に対応し、測定の類型によって、全部または一部が活性化されて測定ストリップの反応部を含む領域３３１−１、３３１−２、３３１−３を感知する。
【００１１】
本発明の一実施例によれば、本発明は、生体データ測定装置１００に搭載されて複数個の感知部１１０で感知した測定ストリップの反応部の反射度に基づいて、生体データの測定を行う。より具体的に、ストリップの反応部が含まれた領域の上部に血液が投与されれば、反応部内の酵素と投与された血液とが化学反応を起こす。この際、初期に白色である反応部が、白色ではない他の色に変わり、変色された反応部の反射度を複数個の感知部１１０で感知して、生体データ測定部で反射度に基づいて、生体データを生成する。
【００１２】
図２は、本発明の一実施例による総コレステロールと酵素の時間による化学反応の特性を示したグラフである。図２で、グラフの横軸は、反応時間を意味し、縦軸は、反応部の反射度を測定した値（以下、“Ｋ／Ｓ値”と称する）を意味する。図２を参照すると、総コレステロールと酵素の化学反応は、反応初期の５０秒の間に、すなわち、活性領域の間に活発になされ、その後には、反応がほとんど起こらないことが分かる。
【００１３】
ここで、反応初期の一定区間での平均Ｋ／Ｓ変化量をＡ−ｖａｌｕｅと言う。Ａ−ｖａｌｕｅを求める区間の開始点及び終了点は、測定する生体データの種類によって変わりうる。一実施例によれば、総コレステロールを測定する場合、Ａ−ｖａｌｕｅは、１５秒と３０秒との間の平均Ｋ／Ｓの変化量になり、下記の数式１によって、その値が決定される。また、中性脂肪を測定する場合にも、同様にＡ−ｖａｌｕｅを求める区間の開始点及び終了点は、それぞれ１５秒と３０秒であり得る。
【００１４】
［数１］
Ａ−ｖａｌｕｅ＝（Ｋ／Ｓ３０秒−Ｋ／Ｓ１５秒）／（３０−１５）
本発明の一実施例によって、反応終了時点は、Ａ−ｖａｌｕｅを用いて決定される。反応終了時点は、数式２によって次のように決定される。
【００１５】
［数２］
｛（Ａ−ｖａｌｕｅ）＊０．３｝≧（Ｋ／Ｓ（ａ＋５）秒−Ｋ／Ｓａ秒）／５
数式２によれば、任意のａ秒での５秒間の平均変化率が（Ａ−ｖａｌｕｅ＊０．３）より小さいか、同じになれば、反応が終了したと見て、その時のａ秒を反応終了時点として決定する。Ａ−ｖａｌｕｅの倍数になる０．３は、測定終了時点を決めるための決定定数である。決定定数は、測定する生体データの種類によって決定される。一実施例によれば、測定定数は、０．００１から０．５の間で決定され、総コレステロールの測定の場合、決定定数は、実験的に０．３に決定された。また、測定する生体データの種類が中性脂肪である場合には、決定定数は０．１で実験的に決定された。
【００１６】
一般的に、温度は、反応速度に大きな影響を及ぼす。温度が高くなれば、酵素反応が活発になって反応速度が速くなり、温度が低くなれば、酵素反応が鈍化されて反応速度が遅くなる。反応速度が早ければ、反応終了時点に迅速に到逹し、逆に反応速度が遅ければ、反応終了時点に遅く到逹する。Ａ−ｖａｌｕｅは、反応初期の活性領域での平均変化率であるので、これは、特定条件での酵素の反応速度を表わす指標となる。したがって、数式２でＡ−ｖａｌｕｅを用いて反応終了時点を決定することは、温度のような反応条件を反映して、合理的な測定時点を決定することになる。通常、測定する生体サンプルの濃度によって、反応終了時点が異なるが、コレステロールの場合、通常、２分以内が適当であると判断した。
【００１７】
図３は、本発明の一実施例による同じ血液による反応初期の一定区間での平均変化量とデータエラー率との相関関係を示したグラフである。一実施例によって、同じ血液を有して総コレステロールを測定する実験を反復的に行い、Ａ−ｖａｌｕｅと測定されたデータの平均値と測定値の偏差に関するグラフを図示することができる。これを通じて反応終了時点に発生する偏差は、Ａ−ｖａｌｕｅと正の相関関係を有することが分かる。これは、測定された結果値は、補正が可能であるということを意味し、同時に反応初期の結果値を用いて補正することが効果的であるということも意味する。一実施例によって、最終測定値は、数式３によって決定されうる。
【００１８】
［数３］
最終測定値＝Ｋ／Ｓ反応終了時点−（Ｋ／Ｓ３０秒−Ｋ／Ｓ１５秒）
数式３によれば、最終測定値は、反応終了時点のＫ／Ｓ値で補正データを加算した値にする。補正データは、数式１の分子の負数に該当し、測定の類型によって決定される。一例として、総コレステロールを測定する場合、補正データは、数式３で見るように１５秒と３０秒との間のＫ／Ｓの差に該当する。前述したように、温度及び試料注入量のような反応条件は、反応速度に影響を及ぼし、これは、反応初期のＫ／Ｓ値の変化量で表われる。また反応初期のＫ／Ｓ変化量は、全体反応に大きな影響を及ぼすので、これを用いて最終測定値を算定すれば、同じ試料の間の偏差を効果的に減らすことができ、再現性を確保することができる。
【００１９】
図４は、本発明の一実施例による生体データ測定装置の概略的な構成ブロック図である。図４を参照すると、本発明による生体データ測定装置は、１つ以上の感知部４１０、データ処理部４２０、及び出力部４８０を含んでおり、データ処理部４２０は、生体データ測定部４４０、反応終了時点決定部４６０、及び補正データ生成部４７０を含む。
【００２０】
さらい詳細に、１つ以上の感知部４１０は、感知部に対応するストリップ上の領域を感知する。１つ以上の感知部４１０は、感知部に対応するストリップ上の領域の反射度を測定する方式として具現され、発光部と受光部とを含んで具現されうる。感知部の発光部は、光を発生させるＬＥＤと駆動回路とで構成されうる。また、受光部は、光を吸収するフォトダイオードを含む形態で具現可能であり、ストリップ上の対応領域で反射された光を受信し、該受信された光量をＫ／Ｓ値に変換して、生体データ測定部４４０、補正データ生成部４７０、及び反応終了時点決定部４６０に伝送する。
【００２１】
反応終了時点決定部４６０は、感知部で感知した結果に基づいて、反応終了時点を決定する。一実施例によって、感知部で感知したＫ／Ｓ値は、反応終了時点決定部に継続的に入力され、反応終了時点決定部４６０は、そのうち、反応初期の１５秒から３０秒間の平均変化率をＡ−ｖａｌｕｅに決定する。また、反応終了時点決定部４６０は、前述した数式２によって反応終了時点を決定する。任意のａ秒での５秒間の平均変化率が（Ａ−ｖａｌｕｅ＊０．３）より小さいか、同じになれば、その時点に反応が終了したと見て、その時のａ秒を反応終了時点として決定する。Ａ−ｖａｌｕｅに乗算される０．３は、測定終了時点を決めるための決定定数である。決定定数は、測定する生体データの種類によって決定される。一例として、総コレステロールの測定の場合、決定定数は、実験的に０．３に決定された。
【００２２】
補正データ生成部４７０は、感知部で感知した結果に基づいて、補正データを生成する。一実施例によって、補正データ生成部４７０は、前述した数式１の分子の負数を補正データとして生成する。補正データを生成する区間は、測定する生体データの種類によって決定される。一例として、総コレステロールを測定する場合、補正データは、数式３のように、１５秒と３０秒との間のＫ／Ｓの差に該当する。
【００２３】
生体データ測定部４４０は、反応終了時点に感知部で感知されたデータ及び補正データに基づいて、生体データを測定する。一実施例によって、生体データ測定部４４０は、数式３によって最終測定値を決定する。具体的に、平均変化率が（Ａ−ｖａｌｕｅ＊０．３）と同じか、それより小さくなる時点に、感知部で感知したＫ／Ｓ値と補正データ生成部４７０で生成した補正データ、すなわち、１５秒から３０秒の間のＫ／Ｓ値の差の負数値を加えて最終測定値を決定する。前述したように、補正データは、測定する生体データの種類によって変わりうる。最終測定値は、測定の種類による生体データに変換される。
【００２４】
測定した生体データは、出力部４８０によって外部に出力される。出力部４８０は、一実施例において、液晶ディスプレイあるいは７セグメントディスプレイになる。また他の例において、出力部４８０は、測定値を音声で出力する音声合成及び出力部であり得る。さらに他の例において、出力部４８０は、携帯電話などの外部機器に測定値を出力するＵＳＢなどのインターフェースでもあり得る。
【００２５】
本発明は、添付された図面に基づいて望ましい実施例を中心に記述されたが、当業者ならば、このような記載から本発明の範ちゅうを外れずに、多様で自明な変形が可能であるということは明白である。したがって、このような多くの変形例を含むように記述された特許請求の範囲によって解析しなければならない。
【産業上の利用可能性】
【００２６】
本発明は、コレステロールのような生体データの測定に適用されうる。
【図１】
0005571778.tif 000002
【図２】
0005571778.tif 000003
【図３】
0005571778.tif 000004
【図４】
0005571778.tif 000005